(57)【要約】【課題】着用が容易で防塵効果の高い防塵フードを提供する。【解決手段】着用者の頭部を覆うための防塵フードであって、着用者の頭部及び後頭部から顎の部分までを覆う袋状のフード本体１７に、着用者の顔を出すための顔出し部７を備え、この顔出し部７における左右の側縁部２３Ｌ，２３Ｒ及びこの左右の側縁部２３Ｌ，２３Ｒの下部に連続して備えられた下部側縁部２１を、着用者の顔に合せて縮小調節可能に設け、上記左右の側縁部２３Ｌ，２３Ｒ及び下部側縁部２１に沿って備えられた紐体通路２５に挿通した紐状部材２９を、前記左右の側縁部２３Ｌ，２３Ｒの上部から前記フード本体１７の後頭部側外面へ誘導する後方向誘導部３１を前記フード本体１７に備え、着用者の額を覆うために前記顔出し部７の上部においてフード本体１７に備えられた額被覆部材９の左右両端部を、前記左右の側縁部２３Ｌ，２３Ｒの上部付近に一体的に連結してあり、前記紐状部材２９は、前記下部側縁部２１の中央部付近に一体的に連結してある。【選択図】図１
2010106372.tif 000002
【特許請求の範囲】
【請求項１】
着用者の頭部を覆うための防塵フードであって、着用者の頭部及び後頭部から顎の部分までを覆う袋状のフード本体に、着用者の顔を出すための顔出し部を備え、この顔出し部における左右の側縁部及びこの左右の側縁部の下部に連続して備えられた下部側縁部を、着用者の顔に合せて縮小調節可能に設け、上記左右の側縁部及び下部側縁部に沿って備えられた紐体通路に挿通した紐状部材を、前記左右の側縁部の上部から前記フード本体の後頭部側外面へ誘導する後方向誘導部を前記フード本体に備え、着用者の額を覆うために前記顔出し部の上部においてフード本体に備えられた額被覆部材の左右両端部を、前記左右の側縁部の上部付近に一体的に連結してあることを特徴とする防塵フード。
【請求項２】
請求項１に記載の防塵フードにおいて、前記紐状部材は、前記下部側縁部の中央部付近に一体的に連結してあることを特徴とする防塵フード。
【請求項３】
請求項１に記載の防塵フードにおいて、前記下部側縁部の中央部付近に、前記紐状部材を引出すための引出し部が形成してあることを特徴とする防塵フード。
【請求項４】
請求項１，２又は３に記載の防塵フードにおいて、前記顔出し部の上部に紐体通路を備えると共に、顔出し部の上部を着用者の額に密着するための紐状部材を前記紐体通路に挿通してあることを特徴とする防塵フード。
【請求項５】
請求項１〜４のいずれかに記載の防塵フードにおいて、前記顔出し部における左右の側縁部を着用者の顔に密着するときに、前記額被覆部の左右両端側を左右両側方へ引っ張る分力が作用する構成であることを特徴とする防塵フード。
【請求項６】
請求項１〜５のいずれかに記載の防塵フードにおいて、前記紐状部材は伸縮自在な弾性部材であることを特徴とする防塵フード。
【発明の詳細な説明】
【技術分野】
【０００１】
本発明は、例えば食品産業や精密機械などの製造工場において、作業者の髪の毛などの落下を防止するための防塵フードに係り、さらに詳細には、作業者に対する着用が容易であり、かつ防塵効果の大きな防塵フードに関する。
【背景技術】
【０００２】
従来、例えば食品産業や精密機械などの製造工場においては、作業者の髪の毛などの落下を防止するために、防塵フードが着用されている。従来の防塵フードとしては、図７に示すごときものがある。
【０００３】
従来の防塵フード１は、作業者（着用者）の頭部、後頭部及びうなじを覆うフード本体３を備えており、このフード本体３の下部には着用者の肩の周囲及び胸元を覆うケープ５が一体的に備えられている。前記フード本体３において着用者の顔を出す部分の顔出し部７の上部には、着用者の額部分を覆う額被覆部材９が備えられており、この額被覆部材９の左右両側部付近における前記顔出し部７には、着用者のこめかみ付近を被覆するためのこめかみ付近被覆部材１１が備えられている。
【０００４】
そして、前記フード本体３の後側部には、対をなす雄部材と雌部材とを備えた構成の面ファスナ（ベルクロテープ）１３が備えられている。この面ファスナ１３は、前記フード本体３の前側を後方向へ引っ張り止めることによって前記額被覆部材９を着用者の額に密着すべく機能するものである。前記ケープ５は前開き自在に構成してあり、このケープ５を閉じた状態に保持するために、面ファスナ１５が備えられている。
【０００５】
なお、本発明に関係すると思われる先行例として、例えば特許文献１，２，３などがある。
【特許文献１】特開２００２−１８０３１９号公報
【特許文献２】実用新案登録第３０１１６７１号公報
【特許文献３】実開昭６３−１０２７２９号公報
【発明の開示】
【発明が解決しようとする課題】
【０００６】
前述したごとき従来の防塵フード１においては、フード本体３によって着用者の頭部を覆った後、ケープ５の前側を閉じて面ファスナ１５によって閉じた状態に保持すると共に、面ファスナ１３を操作して額被覆部材９を着用者の額に密着した状態に保持するものである。したがって、防塵フード１の着用時には、２箇所の面ファスナ１３，１５を操作する必要があり、煩わしいという問題があると共に、時として面ファスナ１３の操作を忘れることがあるなどの問題がある。また、従来の防塵フード１においては、面ファスナ１３，１５内に髪の毛や塵埃などが入り込むと取り除くことが難しという問題がある。
【課題を解決するための手段】
【０００７】
本発明は、前述したごとき従来の問題に鑑みてなされたもので、着用者の頭部を覆うための防塵フードであって、着用者の頭部及び後頭部から顎の部分までを覆う袋状のフード本体に、着用者の顔を出すための顔出し部を備え、この顔出し部における左右の側縁部及びこの左右の側縁部の下部に連続して備えられた下部側縁部を、着用者の顔に合せて縮小調節可能に設け、上記左右の側縁部及び下部側縁部に沿って備えられた紐体通路に挿通した紐状部材を、前記左右の側縁部の上部から前記フード本体の後頭部側外面へ誘導する後方向誘導部を前記フード本体に備え、着用者の額を覆うために前記顔出し部の上部においてフード本体に備えられた額被覆部材の左右両端部を、前記左右の側縁部の上部付近に一体的に連結してあることを特徴とするものである。
【０００８】
また、前記防塵フードにおいて、前記紐状部材は、前記下部側縁部の中央部付近に一体的に連結してあることを特徴とするものである。
【０００９】
また、前記防塵フードにおいて、前記下部側縁部の中央部付近に、前記紐状部材を引出すための引出し部が形成してあることを特徴とするものである。
【００１０】
また、前記防塵フードにおいて、前記顔出し部の上部に紐体通路を備えると共に、顔出し部の上部を着用者の額に密着するための紐状部材を前記紐体通路に挿通してあることを特徴とするものである。
【００１１】
また、前記防塵フードにおいて、前記顔出し部における左右の側縁部を着用者の顔に密着するときに、前記額被覆部の左右両端側を左右両側方へ引っ張る分力が作用する構成であることを特徴とするものである。
【００１２】
また、前記防塵フードにおいて、前記紐状部材は伸縮自在な弾性部材であることを特徴とするものである。
【発明の効果】
【００１３】
本発明によれば、１本の紐状部材を操作することにより、防塵フードにおけるフード本体に備えた顔出し部の周縁部全体を着用者の顔に同時的に密着することができ、防塵フードの着用が容易である。また、例えば面ファスナのように髪の毛などが付着し易い部位がなく、防塵効果の向上を図ることができるものである。
【発明を実施するための最良の形態】
【００１４】
以下、図面を用いて説明するに、前述した従来の防塵フードの構成要素と同一機能を奏する構成要素には同一符号を付することとして重複した説明は省略する。
【００１５】
図１を参照するに、本発明の実施形態に係る防塵フード１は、着用者の頭部、後頭部及びうなじから首の周囲並びに顎の部分までを覆う袋状のフード本体１７を備えており、このフード本体１７には、着用者の顔を出すための顔出し部７を備えている。この顔出し部７の周縁部は、着用者の顔に合せて縮小調節可能に構成してある。そして、前記顔出し部７の上縁部には、着用者の額を被覆するための帯状の額被覆部９の上縁側がフード本体１７に一体的に備えられている。また、この額被覆部９の左右両側部に対応した位置には、着用者のこめかみ付近を被覆するためのこめかみ付近被覆部材１１がフード本体１７に一体的に取付けてある。袋状の前記フード本体１７の下側に設けた入口部の周縁部には、前側が開閉不可能な適宜筒状のケープ１９が一体的に備えられている。
【００１６】
既に理解されるように、前記防塵フード１は、前記フード本体１７内へ着用者の頭部を挿入するための開口部（前記入口部）をケープ１９内に連通して備え、かつ着用者の顔を出すための前記顔出し部７をフード本体１７に備えた袋状の構成である。そして、前記顔出し部７の周縁部を着用者の顔に合せて縮小調節するために、前記顔出し部７において着用者の顎に対応する顎対応部（下部側縁部）２１及び顔出し部７において着用者の左右の頬に対応する左右の頬対応部（左右の側縁部）２３Ｌ，２３Ｒに亘って連続した紐体通路２５が形成してある。
【００１７】
前記紐体通路２５は、紐状の部材を移動自在に挿通する穴の構成であって、左右の側縁部２３Ｌ，２３Ｒに沿って、前記額被覆部材９における左右両端部をフード本体１７に一体的に連結、固定した連結、固定部２７付近に達しており、この連結、固定部２７において、前記紐体通路２５は、当該紐体通路２５内の紐状部材２９を後頭部側外面へ誘導する後方向誘導部３１がほぼ水平に設けられている。換言すれば、紐体通路２５が上下方向の頬対応部２３Ｌ，２３Ｒがほぼ水平な後方向への後方向誘導部３１に変化する誘導方向変化位置付近に、前記額被覆部材９の左右両端部がフード本体１７に一体的に連結してある。
【００１８】
そして、左右の後方向誘導部３１の端部が対向した部分から前記紐状部材２９を外部へ引出して、当該部分において紐状部材２９を適宜に結んで固定する、または適宜の固定具（図示省略）に紐状部材２９を固定するなど、引出した紐状部材２９を固定可能に構成してある。
【００１９】
なお、前記紐状部材２９は、伸縮性を有しない紐部材であってもよいが、例えばゴム紐などのごとく伸縮性を有する紐部材であることが望ましい。そして、紐状部材２９は、前記下部側縁部（顎対応部）２１の中央部付近において前記フード本体１７に一体的に固定してある。
【００２０】
以上のごとき構成において、着用者がフード本体１７内へ頭部を挿入した初期状態においては、図２に示すように、顔出し部７は大きく開いた状態にある。したがって、この状態において、後頭部側外面へ突出している紐状部材２９を後方向へ引くと、紐体通路２５における顎対応部２１が上方向へ引き上げられると共に、紐体通路２５における左右の頬対応部２３Ｌ，２３Ｒは互に接近するように移動される。
【００２１】
すなわち、紐状部材２９を後方向へ引っ張ると、フード本体１７において大きく開いた状態にある顔出し部７における顎対応部２１及び左右の頬対応部２３Ｌ，２３Ｒが次第に縮小されて、着用者の顎及び左右の頬部に密着するようになる。そして、左右の頬対応部２３Ｌ，２３Ｒが左右の頬部に密着するようになった状態において紐状部材２９をさらに後方向へ引っ張ると、紐体通路２５から後方向誘導部３１に変化する誘導方向変化位置付近である固定部２７付近に作用する後方向への分力によって額被覆部材９の左右両端部が引っ張られるので、前記額被覆部材９及びこめかみ付近被覆部材１１は着用者の額、こめかみ付近に密着することになる。
【００２２】
したがって、紐状部材２９を後方向へ引っ張るだけの簡単な操作でもって、フード本体１７に備えた顔出し部７の周縁部、すなわち顎対応部２１、左右の頬対応部２３Ｌ，２３Ｒ、額被覆部材９及び左右のこめかみ付近被覆部材１１が着用者に密着するものである。よって、防塵フード１の着用が容易であり、また面ファスナなどのように、例えば髪の毛などが付着し易い要素を有しないので、防塵効果の向上を図ることができるものである。また、紐状部材２９がゴム紐などの弾性部材からなることにより、着用者に対する顔出し部７の周縁部の密着性が良好に保持されるものである。
【００２３】
図３は第２の実施形態を示すものである。この実施形態においては、前記第1の実施形態に係る構成に加えて、前記額被覆部材９の上縁部に対応してフード本体１７を水平に一周する第2の紐体通路３３を備えた構成である。この構成によれば、第2の紐体通路３３に挿通した紐状部材２９によって額被覆部材９の上縁部付近を締付けることができ、髪の毛等の落下をより効果的に防止できるものである。
【００２４】
図４は第３の実施形態を示すもので、この実施形態においては、前記後方向誘導部３１を一部分に備えた構成としたものである。この構成においては、前記実施形態と同様の効果を奏し得ると共に、構成の簡素化を図ることができるものである。
【００２５】
図５は第4の実施形態を示すもので、この実施形態においては、紐体通路２５における顎対応部２１の中央部付近に、紐状部材２９を引出すための引出し部を形成して、この引出し部から紐状部材２９を外部へ引き出す構成としてある。この構成においては紐状部材２９を前側に引っ張る操作であるから、顔出し部７の縮小操作及び紐状部材２９の結び操作がより簡単になるものである。
【００２６】
図６は第５の実施形態を示すもので、この実施形態においては、紐体通路２５内の紐状部材２９と第２の紐体通路３３内の紐状部材２９とを、前記連結、固定部２７付近において外部へ引き出す構成としたものであり、この構成においても前記実施形態と同様の効果を奏するものである。
【図面の簡単な説明】
【００２７】
【図１】本発明の第１の実施形態に係る防塵フードの説明図である。
【図２】同上の防塵フードの初期状態の説明図である。
【図３】本発明の第２の実施形態に係る防塵フードの説明図である。
【図４】本発明の第３の実施形態に係る防塵フードの説明図である。
【図５】本発明の第４の実施形態に係る防塵フードの説明図である。
【図６】本発明の第５の実施形態に係る防塵フードの説明図である。
【図７】従来の防塵フードの説明図である。
【符号の説明】
【００２８】
１  防塵フード
３  フード本体
５  ケープ
７  顔出し部
９  額被覆部材
１１  こめかみ付近被覆部材
１７  フード本体
１９  ケープ
２１  顎対応部（下部側縁部）
２３Ｌ，２３Ｒ  頬対応部（左右の側縁部）
２５  紐体通路
２７  連結、固定部
２９  紐状部材
３１  後方向誘導部
【図１】
2010106372.tif 000003
【図２】
2010106372.tif 000004
【図３】
2010106372.tif 000005
【図４】
2010106372.tif 000006
【図５】
2010106372.tif 000007
【図６】
2010106372.tif 000008
【図７】
2010106372.tif 000009